(57)【要約】【課題】構成する部材に変形や破損を生じさせることなく、スナップフィットによる結合を容易に解除可能な電子機器の筐体を提供する。【解決手段】本発明の電子機器の筐体は、空間部の一部を構成する凹部の内側に突出する係止爪部を有してなる第１筐体部と、前記係止爪部が挿入される係止孔部を有し該係止孔部内に前記係止爪部が挿入されることによって前記第１筐体部と結合する第２筐体部と、前記第１筐体部及び前記第２筐体部が結合した状態において、前記空間部と外部とを連絡する連絡孔と、前記空間部内において移動可能であって、前記連絡孔に外部から挿通される押圧部材によって押圧可能に配設された移動部材と、前記移動部材から前記係止孔部内に向かって突設され、前記移動部材の移動に伴い前記係止孔部内から前記係止爪部を押し出す押圧突部と、を具備することを特徴とする。【選択図】図３
2011009558.tif 000002
【特許請求の範囲】
【請求項１】
電子機器の少なくとも一部を構成する部材を収容する空間部を有した電子機器の筐体であって、
前記空間部の一部を構成する凹部、及び該凹部の側壁部から内側に突出する係止爪部を有してなる第１筐体部と、
前記凹部内に嵌め合わされる突部、及び該突部の側壁部に穿設され前記係止爪部が挿入される係止孔部を有し、該係止孔部内に前記係止爪部が挿入されることによって前記第１筐体部と結合する第２筐体部と、
前記第１筐体部及び前記第２筐体部が結合した状態において、前記空間部と外部とを連絡する連絡孔と、
前記空間部内において移動可能であって、前記連絡孔に外部から挿通される押圧部材によって押圧可能に配設された移動部材と、
前記移動部材から前記係止孔部内に向かって突設され、前記移動部材の移動に伴い前記係止孔部内から前記係止爪部を押し出す押圧突部と、
を具備することを特徴とする電子機器の筐体。
【請求項２】
前記連絡孔は、前記第１筐体部及び前記第２筐体部を螺子締結するための締結用螺子が挿入される螺子孔及び貫通孔からなり、
前記移動部材は、前記螺子孔の中心軸上に配設された当接部を有することを特徴とする請求項１に記載の電子機器の筐体。
【請求項３】
前記移動部材は、前記連絡孔の中心軸に沿う方向に移動可能であって、
前記押圧突部は、前記係止孔部内において、前記連絡孔の中心軸に沿う方向から見た場合に前記係止爪部よりも前記連絡孔側に位置し、かつ前記係止爪部と重なるように配設され、
前記押圧突部及び前記係止爪部の少なくとも一方の互いに対向する領域には、前記連絡孔から中心軸に沿って遠ざかるにつれて前記空間部内側に向かう斜面部が形成されることを特徴とする請求項１又は２に記載の電子機器の筐体。
【発明の詳細な説明】
【技術分野】
【０００１】
本発明は、複数の筐体部を結合することで空間部を形成し、該空間部内に電子機器の少なくとも一部を構成する部材を収容する電子機器の筐体に関する。
【背景技術】
【０００２】
電子機器の筐体は、複数の部材を結合することで構成されることが一般的である。一対の互いに嵌合する箱状の部材を結合する構成としては、例えば特開２００１−４１２１１号公報に開示されているように、一方の部材の嵌合面に複数の穴部を設け、他方の部材の嵌合面に該複数の穴部に係合する複数の爪部を設ける構成が知られている。このような結合方法は、一般にスナップフィット（エラスティックフィットネス）と称される。スナップフィットによる結合は、結合に用いる穴部及び爪部を、筐体の外部から見えない位置に設けて結合部を隠し、かつ部材同士を密着させることができるという利点を有する。
【０００３】
スナップフィットによって結合された部材同士の結合を解除するためには、爪部と穴部との係合が解除されるように、筐体を構成する部材を変形させる必要がある。そこで、スナップフィットによって部材を結合する筐体では、結合の解除を容易なものとするために、例えば特開２００１−４１２１１号公報に開示されているように、筐体の一部に孔を設けて、該孔から爪部と穴部との係合が解除する治具を挿入可能とする構成が用いられる。
【先行技術文献】
【特許文献】
【０００４】
【特許文献１】特開２００１−４１２１１号公報
【発明の概要】
【発明が解決しようとする課題】
【０００５】
スナップフィットによって結合された部材同士の結合を解除する場合、部材に不用意な力が加えられると、筐体を構成する部材に変形や破損が生じてしまうことがある。特に、部材同士が密着している場合には、部材間にヘラのような薄い板状の治具を差し込んで、治具に力を加えて爪部と穴部との係合を解除する必要があるため、爪部が折損したり部材の合わせ目に傷が付いてしまうことがある。
【０００６】
また、部材同士の結合の解除を容易なものとするために筐体の一部に孔を設けた場合、筐体の外観に孔が存在するため、デザイン上好ましくない。
【０００７】
本発明は、上記問題点に鑑みてなされたものであり、スナップフィットによって部材を結合してなる電子機器の筐体において、筐体を構成する部材に変形や破損を生じさせることなく容易に結合を解除することが可能な電子機器の筐体を提供することを目的とする。
【課題を解決するための手段】
【０００８】
本発明の電子機器の筐体は、電子機器の少なくとも一部を構成する部材を収容する空間部を有した電子機器の筐体であって、前記空間部の一部を構成する凹部、及び該凹部の側壁部から内側に突出する係止爪部を有してなる第１筐体部と、前記凹部内に嵌め合わされる突部、及び該突部の側壁部に穿設され前記係止爪部が挿入される係止孔部を有し、該係止孔部内に前記係止爪部が挿入されることによって前記第１筐体部と結合する第２筐体部と、前記第１筐体部及び前記第２筐体部が結合した状態において、前記空間部と外部とを連絡する連絡孔と、前記空間部内において移動可能であって、前記連絡孔に外部から挿通される押圧部材によって押圧可能に配設された移動部材と、前記移動部材から前記係止孔部内に向かって突設され、前記移動部材の移動に伴い前記係止孔部内から前記係止爪部を押し出す押圧突部と、を具備することを特徴とする。
【発明の効果】
【０００９】
本発明によれば、構成する部材に変形や破損を生じさせることなく、スナップフィットによる結合を容易に解除可能な電子機器の筐体を提供することができる。
【図面の簡単な説明】
【００１０】
【図１】筐体の斜視図である。
【図２】筐体の分解斜視図である。
【図３】筐体の連絡孔の中心軸及び係止爪部を含む平面における断面図である。
【図４】図３のIV-IV断面図である。
【図５】図３のＶ−Ｖ断面図である。
【図６】移動部材が解除用螺子によって押圧されて移動した状態を示す図である。
【図７】図６のVII-VII断面図である。
【発明を実施するための形態】
【００１１】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
本発明に係る筐体１は、その内部に空間部を有し、該空間部内に電子機器の少なくとも一部を構成する部材を収容する電子機器の筐体である。電子機器の種類は特に限定されるものではないが、本実施形態では一例として、筐体１は、撮像装置の筐体であって、空間部内に液晶表示装置２を収容する。
【００１３】
図１に示すように、筐体１は、略６面体形状の外形を有し、空間部に収容した液晶表示装置２の表示面２ａが外部に露出するように１面に開口部が形成されている。筐体１は、ヒンジ機構部５を介して、撮像装置の図示しない本体部に対して相対的に移動可能に結合される。
【００１４】
ヒンジ機構部５は、いわゆる２軸ヒンジであり、本体部に固定される基台部５ａと、基台部５ａに対して回動する第１軸部５ｂと、第２軸部５ｂに対して第１軸部５ｂと略直交する軸周りに回動する第２軸部５ｃと、筐体１に固定されるブラケット部５ｄとを具備して構成されている。図１の矢印Ａ１及び矢印Ａ２で示すように、ヒンジ機構部５は、筐体１を、基台部５ａに対して互いに略直交する２つの軸周りに回動可能に支持する。
【００１５】
図２に示すように、本実施形態の筐体１は、第１筐体部３、第２筐体部４、保持部７及び移動部材８を具備して構成されている。第１筐体部３及び第２筐体部４は、詳しくは後述する構成によって互いに結合し、筐体１の外形を構成する。第１筐体部３及び第２筐体部４の互いに向かい合う領域には、それぞれ凹部３ｂ及び凹部４ｂが形成されている。第１筐体部３及び第２筐体部４は、互いに結合することによって、内部に凹部３ｂ及び凹部４ｂからなる所定の空間部を形成する。第１筐体部３及び第２筐体部４を構成する材料は、特に限定されるものではないが、例えば合成樹脂等の成型材料が好ましい。
【００１６】
第１筐体部３は、矩形の枠状の部材であって、液晶表示装置２を収容する空間部の一部である凹部３ｂが形成されている。凹部３ｂは、底面部、第１筐体部３の短辺に沿って互いに対向する一対の側壁部３ｃ、３ｄ及び第１筐体部３の長辺に沿って互いに対向する一対の側壁部３ｅ、３ｆによって囲まれた、略直方体形状を有する。凹部３ｂの底面部には、液晶表示装置２の画像表示面２ａを露出させるための開口部３ａが形成されている。
【００１７】
互いに対向する一対の側壁部３ｃ、３ｄには、それぞれ貫通孔３ｇ、３ｈが形成されている。貫通孔３ｇ、３ｈは、第１筐体部３及び第２筐体部４を螺子締結する締結用螺子９、１０を挿通するためのものである。側壁部３ｄには、ヒンジ機構部５の第２軸部５ｃを挿通するための切り欠き３ｉが形成されている。
【００１８】
また、互いに対向する一対の側壁部３ｅ、３ｆには、凹部３ｂ内側に突出する係止爪部３ｋが形成されている。係止爪部３ｋの側壁部３ｃ側に向く面には、斜面部３ｍが形成されている。斜面部３ｍは、貫通孔３ｇが形成された側壁部３ｃから遠ざかるにつれて凹部３ｂの内側（空間部の内側）に向かうように形成されている。
【００１９】
第２筐体部４は、矩形の枠状の部材であって、第１筐体部３の凹部３ｂ内に嵌合するため外周形状が略矩形状で第１筐体部３に重ね合わせる方向に突出する突部４ａを有し、該突部４ａが凹部３ｂ内に嵌合することによって、凹部３ｂの開口を塞ぐ形状を有する。また、突部４ａ内には、液晶表示装置２を収容する空間部の一部である凹部４ｂが形成されている。凹部４ｂは、略直方体形状を有し、第２筐体部４の短辺に沿って互いに対向する一対の側壁部４ｃ、４ｄ及び第２筐体部４の長辺に沿って互いに対向する一対の側壁部４ｅ、４ｆによって囲まれている。
【００２０】
言い換えれば、突部４ａは、凹部４ｂを囲むように矩形の枠状に設けられた側壁部４ｃ、４ｄ、４ｅ及び４ｆによって構成されている。突部４ａが凹部３ｂ内に嵌合した状態において、第１筐体部３と第２筐体部４との間には、凹部３ｂ及び凹部４ｂからなる空間部が形成される。
【００２１】
互いに対向する一対の側壁部４ｃ、４ｄには、それぞれ貫通孔４ｇ、４ｈが形成されている。貫通孔４ｇ、４ｈは、突部４ａが凹部３ｂ内に嵌合した状態において、第１筐体部３の貫通孔３ｇ、３ｈと中心軸が略一致するように設けられている。貫通孔４ｇ、４ｈは、締結用螺子９、１０を挿通するためのものである。側壁部４ｄには、ヒンジ機構部５の第２軸部５ｃを挿通するための切り欠き４ｉが形成されている。
【００２２】
また、互いに対向する一対の側壁部４ｅ、４ｆには、貫通孔である係止孔部４ｋが穿設されている。図３及び図４に示すように、係止孔部４ｋは、突部４ａが凹部３ｂ内に嵌合した状態において、第１筐体部３の係止爪部３ｋをその孔の内部に挿入可能に設けられている。本実施形態では、係止孔部４ｋ内に係止爪部３ｋが挿入されることによって、第１筐体部３と第２筐体部４とは、いわゆるスナップフィット（エラスティックフィットネス）と称される形態で結合される。スナップフィットは、俗にパッチン、パッチン留めとも称される。
【００２３】
保持部７は、空間部内に配設され、空間部内において液晶表示装置２を保持する部材である。保持部７は、金属や合成樹脂等からなり、略矩形状の平面部７ａと、該平面部７ａの各辺から平面部７ａに略直交して第１筐体部３側に向かって起立する側面部７ｃ、７ｄ、７ｅ及び７ｆとを具備して構成されている。側面部７ｃ、７ｄは平面部７ａの短辺に沿って設けられ、側面部７ｅ、７ｆは平面部７ａの長辺に沿って設けられている。
【００２４】
保持部７は、平面部７ａと、該平面部７ａの各辺から第１筐体部３側に向かって起立する側面部７ｃ、７ｄ、７ｅ及び７ｆとによって、表示面２ａ以外の５面を囲むようにして液晶表示装置２を保持する。なお、図示しないが、保持部７と液晶表示装置２との間には、接着剤や緩衝材が配設されてもよい。
【００２５】
図３に示すように、保持部７は、第２筐体部４の凹部４ｂ内に配設される。この状態において、側面部７ｃは、第２筐体部４の側壁部４ｃに当接する。一方、側面部７ｄは、第２筐体部４の側壁部４ｄと所定の距離だけ離間した状態で、側壁部４ｄと略平行に延在する。側壁部４ｄと側面部７ｄとの間には、ヒンジ機構部５の第２軸部５ｃに接続されたブラケット部５ｄが挟持される。
【００２６】
この互いに対向する一対の側面部７ｃ、７ｄには、それぞれ螺子孔７ｇ、７ｈが貫通して形成されている。螺子孔７ｇ、７ｈは、締結用螺子９、１０と螺合する雌螺子部が形成されている。螺子孔７ｇ、７ｈは、保持部７が凹部４ｂ内に配設された状態において、第２筐体部４の貫通孔４ｇ、４ｈと中心軸が略一致するように設けられている。
【００２７】
すなわち、第１筐体部３と第２筐体部４とがスナップフィットにより結合した状態において、第１筐体部の貫通孔３ｇ、３ｈ、第２筐体部４の貫通孔４ｇ、４ｈ、及び保持部７の螺子孔７ｇ、７ｈは、略同一軸上に位置する。したがって、筐体１の外部から螺子孔７ｇ、７ｈに締結用螺子９、１０を螺合させることによって、第１筐体部３と第２筐体部４とが一体的に固定化される。また、このとき、側壁部４ｄと側面部７ｄとの間にブラケット部５ｄが挟持されることによって、筐体１とヒンジ機構部５とが結合される。
【００２８】
本実施形態では、第１筐体部３と第２筐体部４とがスナップフィットにより結合した状態において略同一軸上に配設される貫通孔３ｇ、貫通孔４ｇ及び螺子孔７ｇが、図３に示すように空間部と筐体１の外部とを連絡する連絡孔１１を構成する。該連絡孔１１は、矩形状の筐体１の互いに対向する一対の辺のうちの一方、本実施形態では短辺の一方に設けられている。
【００２９】
一方、側面部７ｅ、７ｆは、保持部７が凹部４ｂ内に配設された状態において、第２筐体部４の側壁部４ｅ、４ｆと所定の距離だけ離間し、側壁部４ｅ、４ｆと略平行に延在する。また、側面部７ｅ、７ｆと、螺子孔７ｈが設けられた側面部７ｃとの間には、切り欠き部７ｂが設けられている。
【００３０】
凹部４ｂ内において、第２筐体部４の側壁部４ｅ、４ｆと保持部７の側面部７ｅ、７ｆとの間には、一対の移動部材８が、矩形状の筐体１の長辺方向に移動可能に配設されている。
【００３１】
本実施形態の移動部材８は、金属や合成樹脂等からなり、側壁部４ｅ、４ｆと側面部７ｅ、７ｆとの間に挟持された状態で筐体１の長辺方向に摺動する略平面状の摺動部８ａと、摺動部８ａに略直交して空間部の内側に向かって延出する当接部８ｂとを具備して構成されている。
【００３２】
移動部材８は、第１筐体部３と第２筐体部４とが結合した状態において、移動範囲の連絡孔１１側（側壁部４ｃ側）である一端に位置する（図３に示す状態）。摺動部８ａには、空間部の外側、すなわち隣接する側壁部４ｅ、４ｆ側に向かって突出する押圧突部８ｃが設けられている。
【００３３】
押圧突部８ｃは、所定の高さを有して係止孔部４ｋ内に突出している。また、移動部材８が移動範囲の一端に位置している状態において、押圧突部８ｃは、係止孔部４ｋ内において係止爪部３ｋよりも連絡孔１１側であって、かつ係止爪部３ｋと接触しない位置に配設されている。
【００３４】
言い換えれば、係止孔部４ｋ内において、押圧突部８ｃは、連絡孔１１の中心軸に沿う方向から見た場合に、係止爪部３ｋと重なりかつ係止爪部３ｋよりも連絡孔１１側に配設されている。
【００３５】
図５に示すように、本実施形態では、押圧突部８ｃは、先端部が側壁部４ｅ、４ｆの外側の面と略同一平面上に位置する高さを有する。また、本実施形態では、押圧突部８ｃの係止爪部３ｋに対向する領域には、係止爪部３ｋの斜面部３ｍと略平行な斜面部８ｄが形成されている。すなわち斜面部８ｄは、連絡孔１１から遠ざかるにつれて空間部内側（摺動部８ａ側）に向かうように形成されている。
【００３６】
当接部８ｂは、図３に示すように、保持部７の切り欠き部７ｂを通って螺子孔７ｇの中心軸上にまで延出する舌片状の部位である。すなわち、連絡孔１１の中心軸に沿う方向から見た場合に、当接部８ｂは、連絡孔１１よりも空間部内側において連絡孔１１と重なるように配設されている。
【００３７】
以上に説明した本実施形態の筐体１における作用を、以下に説明する。  
上述したように本実施形態では、第１筐体部３及び第２筐体部４は、凹部３ｂ内に突部４ａを押し込むことによって、係止爪部３ｋが係止孔部４ｋ内に挿入され、筐体３、４の弾性を利用したいわゆるスナップフィットと称される形態で結合する。また、第１筐体部３及び第２筐体部４は、短辺に設けられた螺子孔７ｇ、７ｈに螺合する締結用螺子９、１０によって側壁部４ｃが側壁部３ｃと側面部７ｃとの間に挟まれ、一体的に固定化される。第１筐体部３及び第２筐体部４は、このような構成によって結合することによって、液晶表示装置２を収容するための空間部を内部に形成する。
【００３８】
本実施形態において、第１筐体部３及び第２筐体部４の結合を解除するには、まず、締結用螺子９、１０を螺子孔７ｇ、７ｈから取り外す。次に、締結用螺子９が抜去された連絡孔１１に、筐体１の外側から空間部内に向かって押圧部材を挿通する。
【００３９】
このとき、連絡孔１１の空間部側には、移動部材８の当接部８ｂが配設されているため、押圧部材は当接部８ｂに当接する。したがって、押圧部材を連絡孔１１内において空間部側に押し込むことによって、移動部材８は押圧部材に押圧されて移動範囲の他端側（連絡孔１１から遠ざかる方向）に向かって移動する。
【００４０】
なお、押圧部材は、連絡孔１１内に挿通可能であって、かつ移動部材８を押圧して移動範囲の他端側に移動させることが可能な長さを有する部材であれば、その形態は特に限定されるものではない。本実施形態では一例として、押圧部材は、螺子孔７ｇに螺合し、締結用螺子９の雄螺子部よりも長い雄螺子部を有する、解除用螺子１２である。したがって、本実施形態では、押圧部材である解除用螺子１２を、筐体１の外側から螺子孔７ｇに螺合し空間部側へ移動するようにねじ込むことによって、図６に示すように、移動部材８は解除用螺子１２の先端部によって押圧されて移動範囲の他端側へと移動する。
【００４１】
移動部材８が移動範囲の一端から他端側へ移動すると、係止孔部４ｋ内においては、移動部材８に設けられた押圧突部８ｃの斜面部８ｄと、第１筐体部３の係止爪部３ｋの斜面部３ｍとが当接する。さらに移動部材８が移動範囲の他端側へ移動すると、係止孔部４ｋ内において、係止爪部３ｋは押圧突部８ｃによって空間部とは反対側（筐体１の外側）に向かって押圧される。そしてこの押圧突部８ｃによる押圧力によって、係止爪部３ｋが形成された側壁部３ｅ、３ｆは外側に向かって弾性変形し、係止爪部３ｋは係止孔部４ｋ内から筐体１の外側に向かって移動する。すなわち、押圧突部８ｃは、移動部材８の移動に伴って、くさび状に係止爪部３ｋを係止孔部４ｋ内から押し出す。
【００４２】
そして移動部材８が移動範囲の他端に移動すると、図６及び図７に示すように、係止爪部３ｋと押圧突部８ｃは、先端部において互いに当接した状態となる。押圧突部８ｃの先端部は、係止孔部４ｋが形成された側壁部４ｅ、４ｆの外側の面と略同一平面上に位置することから、係止爪部３ｋは、押圧突部８ｃによって係止孔部４ｋから外側に押し出された状態となる。すなわち、係止爪部３ｋ及び係止孔部４ｋのスナップフィットによる結合が解除される。
【００４３】
そして、押圧部材である解除用螺子１２を螺子孔７ｇから取り外し、連絡孔１１内から抜去する。このとき、移動部材８は、押圧突部８ｃの先端部が側壁部３ｅ、３ｆの弾性によって空間部内側に向かって付勢されており、押圧突部８ｃの先端部と係止爪部３ｋの先端部との間の摩擦によって、移動することはない。
【００４４】
すなわち、一旦、移動部材８が移動範囲の他端に移動した後は、解除用螺子１２を連絡孔１１内から抜去しても、第１筐体部３及び第２筐体部４のスナップフィットによる結合が解除された状態が維持される。そして、連絡孔１１内から解除用螺子１２を抜去することによって、第１筐体部３及び第２筐体部４は、互いに離間する方向に移動することが可能となり、第１筐体部３と第２筐体部４とを分離し離間させることが可能となる。
【００４５】
以上のように、本実施形態では、第１筐体部３及び第２筐体部４のスナップフィットによる結合を、連絡孔１１内に解除用螺子１２をねじ込むだけで、容易かつ確実に解除することができる。また、スナップフィットによる結合を解除する際に第１筐体部３及び第２筐体部４に無理な力が加わることが無いため、第１筐体部３及び第２筐体部４を変形させてしまったり損傷させてしまうことがない。
【００４６】
また、本実施形態では、押圧部材である解除用螺子１２を空間部内に挿入するための連絡孔１１は、第１筐体部３及び第２筐体部４を螺子締結するために設けられた貫通孔３ｇ、貫通孔４ｇ及び螺子孔７ｇによって構成されている。このため、第１筐体部３及び第２筐体部４のスナップフィットによる結合を解除するためにのみ用いられる構成は、筐体１の外観上は隠された状態となる。したがって本実施形態によれば、従来のように結合を解除するための治具を挿入するための孔等を筐体１の外観上に設ける必要が無く、筐体１の外観の見栄えを損ねることがない。
【００４７】
また、本実施形態では、押圧部材である解除用螺子１２は、締結用螺子９と同様の通常の螺子部材であることから、特殊な形状の治具を用いることなく、一般的な工具のみによって扱うことができる。例えば、締結用螺子９、１０及び解除用螺子１２を、同一のサイズのドライバーで扱うことができるようにすれば、単一のドライバーのみで筐体１の組立及び分解を行うことができる。
【００４８】
なお、本発明は、上述した実施形態に限られるものではなく、請求の範囲及び明細書全体から読み取れる発明の要旨或いは思想に反しない範囲で適宜変更可能であり、そのような変更を伴う電子機器の筐体もまた本発明の技術的範囲に含まれるものである。
【００４９】
例えば、上述した実施形態においては、連絡孔１１を構成する螺子孔７ｇは保持部７に設けられる構成としたが、螺子孔７ｇは、第２筐体４又はヒンジ機構部５のブラケット部５ｄに設けられる構成であってもよい。
【００５０】
また、上述した実施形態においては、第１筐体部３及び第２筐体部４を合成樹脂によって形成することが好ましいとしたが、スナップフィットによって結合を利用可能な材料であればこれに限られるものではない。
【産業上の利用可能性】
【００５１】
本発明に係る電子機器の筐体は、上述の実施形態で説明したデジタルカメラの液晶表示装置の筐体に限らず、他の電子機器、例えばデジタルビデオカメラ、録音機器、携帯電話、ＰＤＡ、パーソナルコンピューター、ゲーム機、デジタルメディアプレーヤー、テレビ、ＧＰＳ、時計等の筐体の一部であってもよい。
【符号の説明】
【００５２】
１    筐体、
２    液晶表示装置、
３    第１筐体部、
３ａ    開口部、
３ｂ    凹部、
３ｃ、３ｄ    側壁部（短辺側）、
３ｅ、３ｆ    側壁部（長辺側）、
３ｇ    貫通孔、
３ｈ    貫通孔、
３ｉ    切り欠き、
３ｋ    係止爪部、
３ｍ    斜面部、
４    第２筐体部、
４ａ    突部、
４ｂ    凹部、
４ｃ、４ｄ    側壁部（短辺側）、
４ｅ、４ｆ    側壁部（長辺側）、
４ｇ    貫通孔、
４ｈ    貫通孔、
４ｉ    切り欠き、
４ｋ    係止孔部、
５    ヒンジ機構部、
５ａ    基台部、
５ｂ    第１軸部、
５ｃ    第２軸部、
５ｄ    ブラケット部、
７    保持部、
７ａ    平面部、
７ｂ    切り欠き部、
７ｃ、７ｄ    側面部（短辺側）、
７ｅ、７ｆ    側面部（長辺側）、
７ｇ    螺子孔、
７ｈ    螺子孔、
８    移動部材、
８ａ    摺動部、
８ｂ    当接部、
８ｃ    押圧突部、
８ｄ    斜面部、
９    締結用螺子、
１０    締結用螺子、
１１    連絡孔、
１２    解除用螺子（押圧部材）。
【図１】
2011009558.tif 000003
【図２】
2011009558.tif 000004
【図３】
2011009558.tif 000005
【図４】
2011009558.tif 000006
【図５】
2011009558.tif 000007
【図６】
2011009558.tif 000008
【図７】
2011009558.tif 000009